(57)【要約】【課題】この発明は、多数の付帯設備を必要とせず、また大型化することなく、かご側と釣り合いおもり側との重量バランスを調整して、駆動装置の負荷の軽減化を図る。【解決手段】この発明に係るエレベーターは、駆動シーブ５を有する駆動装置４と、駆動シーブ５に巻き掛けられている主索３と、この主索３により昇降路内に吊り下げられ、昇降されるかご１および釣り合いおもり２と、一端部がかご１に接続され他端部が釣り合いおもり２に接続されて吊り下げられている釣り合い鎖７と、かご１および釣り合いおもり２に設けられ釣り合い鎖７の移動によりかご１側と釣り合いおもり２側との間の重量バランスを調整する巻取りドラム８ａ，８ｂ、鎖収納器９ａ，９ｂとを備えている。【選択図】図１
2005187156.tif 000002
【特許請求の範囲】
【請求項１】
駆動シーブを有する駆動装置と、
前記駆動シーブに巻き掛けられている主索と、
この主索により昇降路内に吊り下げられ、昇降されるかごおよび釣り合いおもりと、
一端部が前記かごに接続され他端部が前記釣り合いおもりに接続されて吊り下げられている釣り合い条と、
前記かごおよび前記釣り合いおもりの少なくとも一方に設けられ前記釣り合い条の移動により前記かご側と前記釣り合いおもり側との間の重量バランスを調整する重量調整手段と
を備えたエレベーター。
【請求項２】
駆動シーブを有する駆動装置と、
前記駆動シーブに巻き掛けられている主索と、
この主索により昇降路内に吊り下げられ、昇降されるかごおよび釣り合いおもりと、
前記かごおよび前記釣り合いおもりに設けられ、かごと釣り合いおもりとの間の主索の長さが一定の基でかごおよび釣り合いおもりに対して前記主索を出し入れして前記かご側と前記釣り合いおもり側との間の重量バランスを調整する重量調整手段と
を備えたエレベーター。
【請求項３】
駆動シーブを有する駆動装置と、
前記駆動シーブに巻き掛けられている主索と、
この主索により昇降路内に吊り下げられ、昇降されるかごおよび釣り合いおもりと、
一端部が前記かごに接続され他端部が前記釣り合いおもりに接続されているとともにプーリに巻き掛けられている調整用ロープと、
前記かごおよび前記釣り合いおもりに設けられ、かごと釣り合いおもりとの間の前記調整用ロープの一定長さの基でかごおよび釣り合いおもりに対して前記調整用ロープを出し入れして前記かご側と前記釣り合いおもり側との間の重量バランスを調整する重量調整手段と
を備えたエレベーター。
【請求項４】
駆動シーブを有する駆動装置と、
前記駆動シーブに巻き掛けられている主索と、
この主索により昇降路内に吊り下げられ、昇降されるかごおよび釣り合いおもりと、
一端部が前記かご側に接続されて吊り下げられている釣り合い条と、
前記かごに設けられ、前記釣り合い条の移動により前記かご側の重量を増減してかご側と前記釣り合いおもり側との間の重量バランスを調整する重量調整手段と
を備えたエレベーター。
【請求項５】
駆動シーブを有する駆動装置と、
前記駆動シーブに巻き掛けられている主索と、
この主索により昇降路内に吊り下げられ、昇降されるかごおよび釣り合いおもりと、
一端部が前記釣り合いおもり側に接続されて吊り下げられている釣り合い条と、
前記釣り合いおもりに設けられ、前記釣り合い条の移動により前記釣り合いおもり側の重量を増減してかご側と釣り合いおもり側との間の重量バランスを調整する重量調整手段と
を備えたエレベーター。
【請求項６】
前記重量調整手段は、巻取りドラムを含む請求項１ないし請求項５の何れか１項に記載のエレベーター。
【発明の詳細な説明】
【技術分野】
【０００１】
この発明は、主索により昇降路内に吊り下げられ、駆動装置により昇降されるかごおよび釣り合いおもりを有するエレベーターに関するものである。
【背景技術】
【０００２】
従来、かご側と釣り合いおもり側との重量バランスを調整するために、釣り合いおもりに油入りタンクを設け、タンク内に油を注入し、または排出することで釣り合いおもりの重量を増減させたエレベーターが知られている（例えば、特許文献１参照）。
【０００３】
【特許文献１】特開２０００−３３５８５０公報
【発明の開示】
【発明が解決しようとする課題】
【０００４】
従来のエレベーターでは、釣り合いおもりの重量を増減させるために、油入りタンク、油管、油を送るポンプ等の設備が必要となり、多数の付帯設備が必要になるとともに、重量のバランスは、例えば釣り合い鎖と比較して比重が小さい油を用いているために、タンク自体の容積も大きくなり、大型化してしまうという問題点があった。
【０００５】
この発明は、かかる問題点を解決することを課題とするものであって、多数の付帯設備を必要とせず、また大型化することなく、かご側と釣り合いおもり側との重量のバランスを調整することができるエレベーターを得ることを目的とする。
【課題を解決するための手段】
【０００６】
この発明に係るエレベーターは、駆動シーブを有する駆動装置と、前記駆動シーブに巻き掛けられている主索と、この主索により昇降路内に吊り下げられ、昇降されるかごおよび釣り合いおもりと、一端部が前記かごに接続され他端部が前記釣り合いおもりに接続されて吊り下げられている釣り合い条と、前記かごおよび前記釣り合いおもりの少なくとも一方に設けられ釣り合い条の移動により前記かご側と前記釣り合いおもり側との間の重量バランスを調整する重量調整手段とを備えたものである。
【発明の効果】
【０００７】
この発明は、多数の付帯設備を必要とせず、また大型化することなく、かご側と釣り合いおもり側との重量バランスを調整して、駆動装置の負荷の軽減化を図ることができる。
【発明を実施するための最良の形態】
【０００８】
実施の形態１．
図１はこの発明の実施の形態１のエレベーターの構成図である。
このエレベーターは、昇降路（図示せず）の上部にある機械室（図示せず）内に設置され駆動シーブ５を有する駆動装置４と、駆動シーブ５に巻き掛けられている主索３と、この主索３により昇降路内に吊り下げられ、昇降されるかご１および釣り合いおもり２と、駆動シーブ５の巻き掛けられた主索３の吊り下げ位置を釣り合いおもり２のつり心に合わせるためのそらせ車６と、一端部がかご１に接続され他端部が釣り合いおもり２に接続されて吊り下げられている釣り合い条である釣り合い鎖７と、かご１および釣り合いおもり２に設けられ、かご１および釣り合いおもり２に対して釣り合い鎖７を出し入れしてかご１側と釣り合いおもり２側との間の重量バランスを調整する重量調整手段とを備えている。
【０００９】
この重量調整手段は、かご１側では、かご１の下部に設けられ釣り合い鎖７の一部が収納される第１の鎖収納器９ａと、かご１の下部に設けられ回転することで釣り合い鎖７の出し入れを可能にする第１の巻取りドラム８ａとを備えている。また、釣り合いおもり２側では、釣り合いおもり２の下部に設けられ釣り合い鎖７の一部が収納される第２の鎖収納器９ｂと、釣り合いおもり２の下部に設けられ回転することで釣り合い鎖７の出し入れを可能にする第２の巻取りドラム８ｂとを備えている。
【００１０】
また、このエレベーターは、機械室に設置され第１の巻取りドラム８ａ、第２の巻取りドラム８ｂの駆動を制御する制御装置１０と、この制御装置１０に一端部が接続され、つなぎ箱（図示せず）を介して第１の巻取りドラム８ａに他端部が接続された第１の制御ケーブル１１と、一端部が第１の巻取りドラム８ａに接続され他端部が第２の巻取りドラム８ｂに接続された第２の制御ケーブル１２とを備えている。
【００１１】
上記構成のエレベーターでは、駆動シーブ５を挟んで駆動かご１側と釣り合いおもり２側との重量バランスは、第１の鎖収納器９ａおよび第２の鎖収納器９ｂにそれぞれ収納された釣り合い鎖７の長さの長短によりなされている。
釣り合い鎖７の全長は、かご１の積載量の１／２をかご１に積んだときに、かご１側の重さと、かご１の昇降に必要とされる釣り合い鎖７の長さを越えた長さ分が全て第２の鎖収納器９ｂに収納された状態での釣り合いおもり２側の重さとが等しくなるように設定されている。
従って、例えば通勤時においてかご１の上方向への交通量が極端に多く全負荷に近い状態で運転され、かご１の下方向への交通量が極端に少なく無負荷に近い状態で運転される状況下では、このような状態でエレベーターを運転することで、上方向および下方向に必要とされる駆動装置４に対する負荷が同程度となり、駆動装置４の消費電力量の低減化が図られる。
【００１２】
一方、かご１側の重さと、釣り合いおもり２側の重さが上述した設定のままであると、かご１の上方向、下方向ともに交通量が極端に少ない閑散時では、エレベーターは常に釣り合いおもり２側が重い状態となり、駆動装置４の消費電力量の点で好ましくない。
このエレベーターでは、このような時間帯では、第２の鎖収納器９ｂに収納された釣り合い鎖７の一部を、第１の巻取りドラム８ａおよび第２の巻取りドラム８ｂの駆動により、第１の鎖収納器９ａに収納することで、かご１が無負荷（無人）の状態でかご１側の重さと釣り合いおもり２側の重さとが等しくなるように設定される。
そのためには、かご１の積載量の１/２に相当する長さ分の釣り合い鎖７が収納された第２の鎖収納器９ｂ内の全釣り合い鎖７の重さの半分、即ち釣り合い鎖７をかご１の積載量の１/４に相当する長さ分だけ第１の鎖収納器９ａに収納するようにすればよい。こうすることで、閑散時の時間帯でも駆動装置４の消費電力量を大幅に低減することができる。
【００１３】
なお、重量調整手段である、鎖収納器および巻取りドラムを、かご側および釣り合いおもり側の何れか一方に設け、釣り合い条である釣り合い鎖の移動量により駆動かご側と釣り合いおもり側との重量バランスを調整するようにしても、同様の効果を得ることができる。
【００１４】
実施の形態２．
図２はこの発明の実施の形態２のエレベーターの構成図である。
この実施の形態では、実施の形態１のエレベーターと比較して、かご１側と釣り合いおもり２側との間の重量バランスを調整する重量調整手段の構成が異なる。
この重量調整手段は、かご１の下部に設けられているとともに釣り合いロープ１３の一端部が取り付けられている回転可能な第１の巻取りドラム１５ａと、釣り合いおもり２の下部に設けられているとともに釣り合いロープ１３の他端部が取り付けられている第２の巻取りドラム１５ｂとを備えている。なお、釣り合い条である釣り合いロープ１３の途中には釣り合いロープ１３に張力を与える釣り合い車１４が設けられている。
【００１５】
この実施の形態のエレベーターでは、かご１側の第１の巻取りドラム１５ａに巻き取られる釣り合いロープ１３の長さの量と、釣り合いおもり２側の第２の巻取りドラム１５ｂに巻き取られる釣り合いロープ１３の長さの量との調整により、かご１側と釣り合いおもり２側との間の重量バランスの調整がなされ、実施の形態１と同様の効果を得ることができる。
【００１６】
なお、重量調整手段である、巻取りドラムをかご側および釣り合いおもり側の何れか一方に設け、釣り合いロープの移動量により駆動かご側と釣り合いおもり側との重量バランスを調整するようにしても、同様の効果を得ることができる。
【００１７】
実施の形態３.
図３はこの発明の実施の形態３のエレベーターの構成図である。
この実施の形態３では、実施の形態１のエレベーターと比較して、かご１側と釣り合いおもり２側との間の重量バランスを調整する重量調整手段の構成が異なる。
この重量調整手段は、かご１の上部に設けられているとともに主索３の一端部が取り付けられた回転可能な第１の巻取りドラム２０ａと、釣り合いおもり２の上部に設けられているとともに主索３の他端部が取り付けられた回転可能な第２の巻取りドラム２０ｂとを備えている。
なお、かご１と釣り合いおもり２との間の主索３の長さは常に一定であり、例えば第１の巻取りドラム２０ａに主索３が巻き取られた長さ分だけ、第２の巻取りドラム２０ｂから引き出されるようになっている。
【００１８】
この実施の形態のエレベーターでは、かご１側の第１の巻取りドラム２０ａに巻き取られる主索３の長さの量と、釣り合いおもり２側の第２の巻取りドラム２０ｂに巻き取られる主索３の長さの量との調整により、かご１側と釣り合いおもり２側との間の重量バランスの調整がなされ、実施の形態１と同様の効果を得ることができる。
【００１９】
実施の形態４．
図４はこの発明の実施の形態４のエレベーターの構成図である。
この実施の形態４では、実施の形態１と比較して、かご１側と釣り合いおもり２側との間の重量バランスを調整する重量調整手段の構成が異なる。
この重量調整手段は、かご１の上部に設けられているとともに調整用ロープ３０の一端部が取り付けられた回転可能な第１の巻取りドラム３１ａと、釣り合いおもり２の上部に設けられているとともに調整用ロープ３０の他端部が取り付けられた回転可能な第２の巻取りドラム３１ｂとを備えている。
かご１と釣り合いおもり２との間の調整用ロープ３０の長さは常に一定であり、例えば第１の巻取りドラム３１ａに調整用ロープ３０が巻き取られた長さ分だけ、第２の巻取りドラム３１ｂから引き出されるようになっている。
なお、調整用ロープ３０の途中にはそらせ車３２が設けられている。
【００２０】
この実施の形態のエレベーターでは、かご１側の第１の巻取りドラム３１ａに巻き取られる調整用ロープ３０の長さの量と、釣り合いおもり２側の第２の巻取りドラム３１ｂに巻き取られる調整用ロープ３０の長さの量との調整により、かご１側と釣り合いおもり２側との間の重量バランスの調整がなされ、実施の形態１と同様の効果を得ることができる。
【００２１】
実施の形態５．
図５はこの発明の実施の形態５のエレベーターの構成図である。
この実施の形態５では、実施の形態１のエレベーターと比較して、かご１側と釣り合いおもり２側との間の重量バランスを調整する重量調整手段の構成が異なる。
この重量調整手段は、昇降路側では、昇降路に設けられ釣り合い条である釣り合い鎖４２の一部が収納される第１の鎖収納器４１ａと、昇降路に設けられ回転することで釣り合い鎖４２の出し入れを可能にする第１の巻取りドラム４０ａとを備えている。また、かご１側では、かご１の下部に設けられ釣り合い鎖４２の一部が収納される第２の鎖収納器４１ｂと、かご１の下部に設けられ回転することで釣り合い鎖４２の出し入れを可能にする第２の巻取りドラム４０ｂとを備えている。
【００２２】
この実施の形態のエレベーターでは、昇降路側の第１の鎖収納器４１ａに収納された釣り合い鎖４２の長さの量と、かご１側の第２の鎖収納器４１ｂに収納された釣り合い鎖４２の長さの量との調整により、かご１側と釣り合いおもり２側との間の重量バランスの調整がなされ、実施の形態１と同様の効果を得ることができる。
【００２３】
なお、昇降路側では釣り合い鎖の端部を取り付け、重量調整手段である、鎖収納器および巻取りドラムをかご側に設け、かごに対する釣り合い鎖の出し入れによりかご側と釣り合いおもり側との重量バランスを調整するようにしても、同様の効果を得ることができる。
【００２４】
また、重量調整手段である鎖収納器および巻取りドラムを、昇降路および釣り合いおもりにそれぞれ設け、昇降路側の鎖収納器に収納された釣り合い鎖の長さの量と、釣り合いおもり側の鎖収納器に収納された釣り合い鎖の長さの量との調整により、かご側と釣り合いおもり側との間の重量バランスの調整を行うようにしてもよい。
【００２５】
また、昇降路側では釣り合い鎖の端部を取り付け、重量調整手段である、鎖収納器および巻取りドラムを釣り合いおもり側に設け、釣り合いおもりに対する釣り合い鎖の出し入れによりかご側と釣り合いおもり側との重量バランスを調整するようにしても、同様の効果を得ることができる。
【００２６】
実施の形態６．
図６はこの発明の実施の形態６のエレベーターの構成図である。
この実施の形態６では、実施の形態１のエレベーターと比較して、かご１側と釣り合いおもり２側との間の重量バランスを調整する重量調整手段の構成が異なる。
この重量調整手段は、かご１の下部に設けられ釣り合い鎖５１の一部が収納される第１の鎖収納器５０ａと、かご１の下部に設けられ回転することで釣り合い鎖５１の出し入れを可能にする巻取りドラム５２と、第１の鎖収納器５０ａの直下で昇降路の底面に設置されているとともに釣り合い鎖５１が収納される第２の鎖収納器５０ｂとを備えている。
【００２７】
この実施の形態のエレベーターでは、第１の鎖収納器５０ａに収納された釣り合い鎖５１の長さの出し入れ量により、かご１側と釣り合いおもり２側との間の重量バランスの調整がなされ、余った釣り合い鎖５１については第２の鎖収納器５０ｂに収納される。
この実施の形態についても、実施の形態１と同様の効果を得ることができる。
【００２８】
なお、釣り合いおもりの下部に、釣り合い鎖の一部を収納する第１の鎖収納器および釣り合い鎖の出し入れを可能にする巻取りドラムを設け、この第１の鎖収納器の直下で昇降路の底面に余った釣り合い鎖を収納する第２の鎖収納器を設置するようにしても、同様の効果を得ることができる。
【００２９】
ところで、上記各実施の形態１〜６では、つるべ式のエレベーターについて説明したが、この発明は、勿論せり上げ式のエレベーターについても適用することができる。
また、上記各実施の形態１〜６では、閑散時の積載が極端に少ないことを想定して、かご１側と釣り合い重り２側との重さのバランス関係は、重量調整手段の調整により、かご１に積載量の１/２を積んだときに、かご１側と釣り合い重り２側とが同重量になる場合と、かご１が無負荷のときに、かご１側と釣り合い重り２とが同重量になる場合との２段階に変更するものであったが、勿論このものに限定されない。
例えば、閑散時の積載が極端ではないが少ない場合には、このときを想定して一方についてはかごの積載量の１０％〜２０％を積んだときに、かご側と釣り合い重りとが同重量になるように重量調整手段を調整するようにしてもよい。また、重量調整を積載量の変化により、３段階以上にきめ細かく設定するようにしてもよい。
【００３０】
また、重量調整の切り換えについては、かご側と釣り合いおもり側との重さの所定のアンバランスの値を越えたときに、かご内の積載を検出する秤装置の出力により、ブザーが鳴り、そのときに乗場等に設けた切り換えスイッチを管理人が切り換えることで行うようにしてもよい。
また、制御装置にどの時間帯にどのように重量調整するかを予め定めたプログラムに則って重量切り換えを行うようにしてもよい。
【００３１】
また、釣り合いおもり側のアンバランス設定をかご内の積載を検出する秤装置の出力に従い調整し、負荷により釣り合いおもり側のアンバランスを最適に変化させることで駆動装置の負荷を軽減させるようにしてもよい。
なお、調整を頻繁に行うと調整のための消費電力が嵩み省電力の効果が損なわれ、また調整のための時間もかかり運転効率の低下を招くことになる。従って、かごの起動のたびに調整するのではなく、その時点の釣り合いおもり側のアンバランス状態から一定量超過した場合のみ、重量調整を行うようにすることで、調整のための電力消費や無駄な時間を極力抑えることが可能となる。
【図面の簡単な説明】
【００３２】
【図１】この発明の実施の形態１のエレベーターの構成図である。
【図２】この発明の実施の形態２のエレベーターの構成図である。
【図３】この発明の実施の形態３のエレベーターの構成図である。
【図４】この発明の実施の形態４のエレベーターの構成図である。
【図５】この発明の実施の形態５のエレベーターの構成図である。
【図６】この発明の実施の形態６のエレベーターの構成図である。
【符号の説明】
【００３３】
１  かご、２  釣り合いおもり、３  主索、４  駆動装置、５  駆動シーブ、７，４２，５１  釣り合い鎖（釣り合い条）、８ａ，１５ａ，２０ａ，３１ａ，４０ａ  第１の巻取りドラム、８ｂ，１５ｂ，２０ｂ，３１ｂ，４０ｂ  第２の巻取りドラム、９ａ，４１ａ,５０ａ  第１の鎖収納器、９ｂ，４１ｂ，５０ｂ  第２の鎖収納器、１３  釣り合いロープ（釣り合い条）、３０  調整用ロープ、５２  巻取りドラム。
【図１】
2005187156.tif 000003
【図２】
2005187156.tif 000004
【図３】
2005187156.tif 000005
【図４】
2005187156.tif 000006
【図５】
2005187156.tif 000007
【図６】
2005187156.tif 000008